(57)【特許請求の範囲】
【請求項１】
ベースフレーム（１０）のヒンジ部（１１）を蓋フレーム（２０）の嵌合凹部（２１）が外側から取り囲んだ状態で嵌合して蓋フレーム（２０）が回転する場合に、弾性手段（４０）により一定した弾性力を有することにより開閉される額縁フレームにおいて、
ベースフレーム（１０）及び蓋フレーム（２０）の縦辺、横辺の両端が４５度の角度を有し、その先端に切開面（１３、２３）が形成されていること、
縦辺、横辺は直接接触して額縁フレームのコーナー部分が形成されていること、
縦辺、横辺の切開面（１３、２３）は直角に接して、額縁フレームのコーナーの先端に切欠き部が形成されていること、
切欠き部にコーナー結合部材（１）が嵌め込まれていること、
前記ベースフレーム（１０）のヒンジ部（１１）にはヒンジ軸線上に長手方向に嵌合溝（１２）が形成されていること、
コーナー結合部材（１）には、前記嵌合溝（１２）に、嵌合により緊密に一定の深さではめられるような結合突起（２）が形成されていること、
角形の結合突起（２）と角形の嵌合溝（１２）の嵌合によりベースフレームが緊密に結合されていること、
角形の結合突起（２、２ａ）を上下２段にして流動が防止されていること、
前記蓋フレーム（２０）の嵌合凹部（２１）を取り囲む凹部筐体（２２）が回転する場合に干渉を排除するための間隔が結合突起（２、２ａ）間に保持されていること、
ベースフレーム（１０）に固定部材（３０）が設けられていること
を特徴とする額縁フレーム。
【請求項２】
コーナー結合部材（１）には、切開面（１３、２３）に対応する直角面（３）が形成され、前記直角面（３）に直交するように結合突起（２）が形成され、前記直角面（３）の外側辺には全体として湾曲形状を有するような湾曲面（４）が形成され、蓋フレーム（２０）の高さだけ一側には直立部（５）が形成されていることを特徴とする請求項１記載の額縁フレーム。
【請求項３】
前記下段の結合突起（２ａ）の流動防止のために、さらにベースフレーム（１０）に係止突起（１４）が形成されていることを特徴とする請求項１または２に記載の額縁フレーム。
【請求項４】
前記嵌合溝（１２）の形態は一側が開口されていることを特徴とする請求項１〜３のいずれか一に記載の額縁フレーム。
【発明の詳細な説明】
【技術分野】
【０００１】
本発明は、写真や広告物などを掲示する額縁フレームに関し、特に掲示された内容物を額縁が壁面に取り付けられたまま前面で差し替えることができ、額縁のコーナーを湾曲状にし、かかる形態を容易でかつ簡単に組立可能にした額縁のフレームに関する。
【背景技術】
【０００２】
従来の額縁は、額縁内に掲載される掲示物を最初に挿入するか交替するために壁面などに取り付けられた額縁をはずしてから覆して背面板を持ち出し掲示物を掲載した後、再度壁面などに取り付けなければならないなどの不都合があった。
【０００３】
これにより、近年は額縁フレームをベースフレームと蓋フレームを長手方向に分けて、その一端をヒンジ結合させることにより、額縁を壁面などに取り付けたまま蓋フレームを開けて掲載された掲示物の差し替えを前方で行うことができるようにした改良された額縁型広告フレームが開発された。
【０００４】
しかし、このような開閉手段を有する額縁フレームの製作は、夫々の横、縦辺が対応されるコーナー点がフレームを４５度切削加工を行い、これにより両辺が直角状態で突き当てられるので、コーナー点が鋭く組み立てられているにもかかわらず、余儀なく触らなければならないユーザにとって、開閉手段の取扱時、負傷の恐れがあり、注意を要するという短所があった。
【０００５】
また、切削加工による製作であるから一律的な形状から逸脱することができず、見掛け上の美麗さが欠けているので、ユーザに心美感を引き起こすことができなった。
【０００６】
従って、最近はこのようなコーナーに面取りを施すことが提案されているが、これは単に四角枠を固定させるために制限的に用いられるので、前面板が折畳される部分では使用できないという問題点がある。
【発明の開示】
【発明が解決しようとする課題】
【０００７】
従って、本発明は、上記のような従来の問題点を解決するために案出されたもので、その目的は、切削加工により突き当てられるように結合されるベースフレームと蓋フレームの末端をコーナー結合部材が結合されるように一定の部分を切り取り、ベースフレームのヒンジ軸線上に長手方向に嵌合溝を形成して結合突起が形成されたコーナー結合部材が嵌められてコーナー部が固定され蓋フレームが所定の軌道をもって円滑に回動するようにすることである。
【課題を解決するための手段】
【０００８】
前記の目的を達成するために、本発明による額縁フレームは、ベースフレーム（１０）のヒンジ部（１１）を蓋フレーム（２０）の嵌合凹部（２１）が外側から取り囲んだ状態で嵌合して蓋フレーム（２０）が回転する場合に、弾性手段（４０）により一定した弾性力を有することにより開閉される額縁フレームにおいて、
ベースフレーム（１０）及び蓋フレーム（２０）の縦辺、横辺の両端が４５度の角度を有し、その先端に切開面（１３、２３）が形成されていること、
縦辺、横辺は直接接触して額縁フレームのコーナー部分が形成されていること、
縦辺、横辺の切開面（１３、２３）は直角に接して、額縁フレームのコーナーの先端に切欠き部が形成されていること、
切欠き部にコーナー結合部材（１）が嵌め込まれていること、
前記ベースフレーム（１０）のヒンジ部（１１）にはヒンジ軸線上に長手方向に嵌合溝（１２）が形成されていること、
コーナー結合部材（１）には、前記嵌合溝（１２）に、嵌合により緊密に一定の深さではめられるような結合突起（２）が形成されていること、
角形の結合突起（２）と角形の嵌合溝（１２）の嵌合によりベースフレームが緊密に結合されていること、
角形の結合突起（２、２ａ）を上下２段にして流動が防止されていること、
前記蓋フレーム（２０）の嵌合凹部（２１）を取り囲む凹部筐体（２２）が回転する場合に干渉を排除するための間隔が結合突起（２、２ａ）間に保持されていること、
ベースフレーム（１０）に固定部材（３０）が設けられていること
を特徴とする。
【発明の効果】
【０００９】
本発明は、額縁フレームのコーナー部に湾曲面を有するコーナー結合部材を結合して鋭いコーナー面によるユーザの安全上の問題を解決し、コーナー結合部材を多様な材質や色合で製作することができ、よって一律的な形状から外れてユーザに新しい美感を引き起こすことができる。
【発明を実施するための最良の形態】
【００１０】
以下、添付図面を参照して本発明による好適な実施形態を詳細に説明する。なお、添付図面においては同一の構成要素については同じ符号を付してある。
【００１１】
図１は本発明の一実施形態による額縁フレームを示す分解斜視図であり、図２は図１におけるフレームの結合構造の一例を示す図であり、図４は結合部材の結合状態を示す概略図であり、図６乃至図８はベースフレームと蓋フレームとの折畳状態を示す図である。
【００１２】
まず、本発明の作動のための基本的な構成として、図１に示されたように、ベースフレーム１０のヒンジ部１１がはめ込まれて回転可能に嵌合凹部２１を有する蓋フレーム２０と前記蓋フレーム２０がベースフレーム１０のヒンジ部１１と嵌合されて回転する場合に一定した弾性力を持たせるための多様な弾性手段４０が設けられており、これらの手段は図１及び図６乃至図８に示したように種々の方式が用いられることができる。
【００１３】
また、図２に示したように、前記ベースフレーム１０のヒンジ部１１には一側が開口された嵌合溝１２を形成し、前記嵌合溝１２に嵌合により緊密に一定の深さで嵌合されるように図１に示されたように結合突起２が形成されたコーナー結合部材１がはめ込まれ、前記コーナー結合部材１がはめ込まれて安定に固定されるようにベースフレーム１０及び蓋フレーム２０には切開面１３、２３が形成される。
【００１４】
この際、できるだけ切開面１３、２３は直角に形成し、該切開面１３、２３に嵌合されるように図５に示したようにコーナー結合部材１にも対応するように直角面３を有するようにした後、その直角面３に直交するように結合突起２が形成され、前記直角面３の外側辺には全体として湾曲するように湾曲面４を形成させることにより、結合状態で額縁フレームのコーナー部を湾曲形成させる。
【００１５】
また、前記ベースフレーム１０の嵌合溝１２に対するコーナー結合部材１の結合は結合突起２を上下２段に区切りして流動を防止するとともに、下段の結合突起２ａも別途の流動防止のためにベースフレーム１０には係止突起１４を形成することでしっかりと固定させることができるようになる。
【００１６】
このとき、前記結合突起２を角形にした後、嵌合溝１２も角形にして、緊密に結合するときは、一つの結合突起２だけでも結合可能にすることができる。
【００１７】
また、この際、蓋フレーム２０の嵌合凹部２１を取り囲む凹部筐体２２が回転する場合、干渉を排除するために結合突起２、２ａは一定した間隔を保持しなければならない。
【００１８】
更にこのときに使用されるコーナー結合部材１はベースフレーム１０に結合突起２で固定されるものであるから、蓋フレーム２０の高さだけ一側には直立部５が形成され、該直立部５も直角面３及び湾曲面４を有するようになる。
【００１９】
また、本発明では嵌合溝１２の形態がベースフレーム１０の下方に開口された形態のように示されているが、これを全体が閉塞される構造にしてもよく、更に図３Ｂのように上側が開口されるようにしてもよく、図３に示したように開口された部分の先端が折り曲げられて僅かの閉塞となるようにする場合でも本発明の目的が達成できる。
【００２０】
従って、組立時にベースフレーム１０や蓋フレーム２０のコーナー部分の先端を切り取って切開面１３、２３を形成させ、その状態でコーナー結合部材１の結合突起２をベースフレーム１０の嵌合溝１２にはめた後、固定手段３０によって固定させると、額縁フレームの固定が完了される。
【００２１】
かかる状態で蓋フレーム２０を開閉させる場合は、蓋フレーム２０の凹部筐体２２がベースフレーム１０のヒンジ部１１を外側から取り囲んだ状態で回転されることにより、ヒンジ部１１の嵌合部１２にコーナー結合部材１の結合突起２がはめ込まれている場合でも、回転時全く干渉を受けないようになる。
【００２２】
また、このようなコーナー結合部材１の直立部５が蓋フレーム２０の高さだけ高く形成されることにより、蓋フレーム２０が覆われた状態では組立状態の額縁フレームのコーナーは湾曲形状を有するようになる。
【００２３】
尚、本発明では蓋フレームの凹部筐体がベースフレームのヒンジ部を取り囲みながら回転するようになっているが、このような方法を逆にする場合でも同一の目的を達成することができる。
【図面の簡単な説明】
【００２４】
【図１】本発明に一実施形態による額縁フレームの構成を示す分解斜視図である。
【図２】本発明によるフレームが結合される状態を示す斜視図である。
【図３】本発明の他の実施形態による嵌合溝を示す断面図である。
【図３Ａ】本発明の他の実施形態による嵌合溝を示す断面図である。
【図３Ｂ】本発明の他の実施形態による嵌合溝を示す断面図である。
【図４】本発明によるコーナー結合部材の組立状態を示す正面図である。
【図５】蓋フレームが開閉される状態の作動斜視図である。
【図６】本発明のまた他の実施形態を示す断面図である。
【図７】本発明のまた他の実施形態を示す断面図である。
【図８】本発明のまた他の実施形態を示す断面図である。
【符号の説明】
【００２５】
１    コーナー結合部材
２、２ａ    結合突起
３    直角面
４    湾曲面
５    直立部
１０    ベースフレーム
１１    ヒンジ部
１２    嵌合溝
１３、２３    切開面
１４    係止突起
２０    蓋フレーム
２１    嵌合凹部
２２    凹部筐体
２３    切開面
３０    固定部材
４０    弾性手段
【図１】
0004693749.tif 000002
【図２】
0004693749.tif 000003
【図３】
0004693749.tif 000004
【図３Ａ】
0004693749.tif 000005
【図３Ｂ】
0004693749.tif 000006
【図４】
0004693749.tif 000007
【図５】
0004693749.tif 000008
【図６】
0004693749.tif 000009
【図７】
0004693749.tif 000010
【図８】
0004693749.tif 000011